(57)【要約】【課題】ディジタルデータ通信と並行しアナログデータを送受信でき、それに加え、それぞれのデータ通信に対し高い信頼性を持ち、かつ小型軽量化の容易な入出力装置を提供する。【解決手段】Ｉ／Ｏカード１１はホストＨとデータを交換するための入出力装置である。ディジタルデータ通信部２はディジタルデータＤを、第一の通信モードでは第一のデータ線ＤＡＴ０のみを通し１ｂｉｔずつ伝送し、第二の通信モードでは全データ線ＤＡＴ０〜３を通し４ｂｉｔずつ伝送する。第一の通信モードでのディジタルデータ通信と並行し、アナログデータ通信部３ＡはアナログデータＡを、第三のデータ線ＤＡＴ２を通し伝送する。そのとき、第二のデータ線ＤＡＴ１と第四のデータ線ＤＡＴ３とはグラウンド線ＶＳＳと接続され、第三のデータ線ＤＡＴ２をシールドする。【選択図】　　　　図１
2004038377.tif 000002
【特許請求の範囲】
【請求項１】
（Ａ）　ｎ本のデータ線（整数ｎは２以上である）を含み、外部情報処理装置と接続するバス；
（Ｂ）　ｍ本の前記データ線（整数ｍは１以上ｎ未満である。以下、ｍ本のディジタルデータ線という）を通しディジタルデータをｍビットずつ交換する第一のディジタルデータ通信モードと、前記データ線の全てを通しディジタルデータをｎビットずつ交換する第二のディジタルデータ通信モードと、のそれぞれで前記外部情報処理装置とディジタルデータ通信を行うためのディジタルデータ通信部；及び、
（Ｃ）　前記第一のディジタルデータ通信モードでのディジタルデータ通信と実質上並行し、前記ｍ本のディジタルデータ線とは別の前記データ線の少なくとも一本（以下、アナログデータ線という）を通しアナログデータを交換するためのアナログデータ通信部；
を有する入出力装置。
【請求項２】
前記アナログデータ線のすぐ隣に、前記ｍ本のディジタルデータ線とは別の前記データ線が少なくとも一本配置され、そのデータ線の電位が実質的に一定に維持され、それにより前記アナログデータ線がシールドされる、請求項１記載の入出力装置。
【請求項３】
前記アナログデータに対しパルス変調を施すためのパルス変調部を前記アナログデータ通信部が含む、請求項１記載の入出力装置。
【請求項４】
前記アナログデータが前記外部情報処理装置によりパルス変調を施され、前記アナログデータ線を通し前記外部情報処理装置から伝送されるとき、そのパルス変調を施された前記アナログデータを復調するためのローパスフィルタを前記アナログデータ通信部が含む、請求項１記載の入出力装置。
【請求項５】
前記ディジタルデータ通信中、前記データ線のいずれにもディジタルデータが伝送されない期間に、前記アナログデータ通信部が前記アナログデータを交換する、請求項１記載の入出力装置。
【請求項６】
前記ディジタルデータ通信での通信クロックを伝送するための通信クロック線を前記バスが含み、かつ、前記通信クロックと同程度の周波数を持つクロックデータが前記アナログデータに含まれるとき、
前記クロックデータを分周するための分周器を前記アナログデータ通信部が含み、前記分周器の分周比を示すデータを前記ディジタルデータ通信部が伝送する、請求項１記載の入出力装置。
【請求項７】
前記ディジタルデータ通信での通信クロックを伝送するための通信クロック線を前記バスが含み、前記通信クロックとは別のクロックデータが前記アナログデータとして、かつ、前記クロックデータに対する分周比を示すデータが前記ディジタルデータとして、それぞれ前記外部情報処理装置から入力されるとき、前記クロックデータの周波数を前記分周比の逆数だけ増大するための逓倍器を前記アナログデータ通信部が含む、請求項１記載の入出力装置。
【発明の詳細な説明】
【０００１】
【発明の属する技術分野】
本発明は、外部の情報処理機器との間でデータ通信を行うための入出力装置に関し、特に、複数のデータ線を含むバスで外部の情報処理機器と接続し、ディジタルデータを交換するものに関する。
【０００２】
【従来の技術】
情報技術の飛躍的進歩及び爆発的普及により、多種多様な情報処理装置が相互に接続され、様々なデータを交換できる。それらのデータ通信の形態は例えば、シリアル転送／パラレル転送、アナログ信号伝送／ディジタル信号伝送、有線通信／無線通信、同期通信／非同期通信等、様々である。それらのデータ通信では更に、画像データ等、膨大な量のデータが交換され得る。従って、データ通信を担う入出力装置（インタフェース）に対し、下位互換性を含め、多種多様な情報処理装置と通信形態とについての汎用性、及び高速なデータ転送能力が要求される。その上、情報処理装置全体に対する小型軽量化の要請に伴い、入出力装置自体に対しても小型軽量化が求められる。
【０００３】
従来のディジタル入出力装置の中では特にカード型のものが近年多用される。このカード型入出力装置は、数ｃｍ角の小カードであり、所定の規格に準拠したインタフェースを含む。カード型入出力装置は情報処理装置（ホスト）に設けられた専用スロットに差し込まれ、そのスロットに内蔵された同規格に準拠のインタフェースを通し、ホストとデータを交換する。
【０００４】
カード型入出力装置の種類にはメモリカードとＩ／Ｏカードとがある。
メモリカードは半導体メモリ、特にフラッシュメモリを内蔵したカード型記録媒体である。複数のホストが同じメモリカードの共用を通し、相互のデータ交換を実現する。
Ｉ／Ｏカードは、ホストと、そのホストとは別の情報処理装置又はネットワークとの間を接続するためのインタフェースカードである。例えば、Ｉ／Ｏカードはホストを、携帯電話又は内部の無線通信部へ接続する。それにより、ホストは携帯電話回線網又は無線ＬＡＮを通し、他の情報処理装置との間でデータ交換を実現する。
【０００５】
ホストとカード型入出力装置との間でのディジタルデータ通信には、例えば、次の二つの通信モードが設定される。
第一のモードはシリアル転送モードであり、ディジタルデータが１ｂｉｔずつシリアルに転送される。
第二のモードはパラレル転送モードであり、ディジタルデータが例えば４ｂｉｔずつパラレルに転送される。第二のモードによるデータ通信は通常、第一のモードによるデータ通信より高速である。
こうして、カード型入出力装置によるデータ通信では、上記二つのモードの使い分けを通し、例えばホストに応じデータ転送速度を調節する。
【０００６】
図６は、従来のカード型入出力装置１００とホストＨとの間でのデータ交換を示すブロック図である。カード型入出力装置１００はホストＨと、例えば、四本のデータ線ＤＡＴ０〜３、クロック線ＣＬＫ、電源線ＶＤＤ、グラウンド線ＶＳＳ、及びコマンド線ＣＭＤの５種類の線で接続される。
【０００７】
ホストインタフェース１０１はコマンド線ＣＭＤを通しホストＨからコマンドを受信し、解読する。例えば、そのコマンドが機能部１０２に対するデータ読み出し命令であるとき、ホストインタフェース１０１は機能部１０２からデータを読み出す。ここで、機能部１０２は例えば、半導体メモリとその制御部とを含む。その他に、外部のネットワーク等へ接続された無線モジュールであっても良い。
読み出されたデータはデータ線ＤＡＴ０〜３を通し、ホストＨへ転送される。そのとき、ホストインタフェース１０１はデータ転送を同期通信で行う。すなわち、クロック線ＣＬＫを通しホストＨから転送されたクロックと同期し、データを転送する。ホストインタフェース１０１は更に、データ転送を第一のモード又は第二のモードのいずれかで実行する。ここで、モード選択は、例えばホストＨからの指示による。第一のモードでは、第一のデータ線ＤＡＴ０のみを通しデータが１ｂｉｔずつシリアルに転送される。第二のモードでは、全てのデータ線ＤＡＴ０〜３を通しデータが４ｂｉｔずつパラレルに転送される。
【０００８】
ホストＨからのコマンドが機能部１０２に対するデータ書き込み命令であるとき、ホストインタフェース１０１は、データ線ＤＡＴ０〜３を通しデータを受信する。そのとき、上記のデータ読み出しと同様、データ転送はクロック線ＣＬＫからのクロックと同期し、かつ、ホストＨにより選択された第一のモード又は第二のモードのいずれかで実行される。
ホストインタフェース１０１により受信されたデータは機能部１０２へ転送される。それにより、そのデータは半導体メモリに記憶され、又は外部の情報処理装置等へ送出される。
【０００９】
【発明が解決しようとする課題】
通信対象のデータは例えば、テレビジョン（ＴＶ）信号、電荷結合素子（ＣＣＤ）等の撮像素子による画像信号、マイクロフォンによる音声信号等のアナログ信号を含む。従来のディジタル入出力装置ではそれらのアナログ信号が直接送受信されず、内部のアナログ／ディジタル（Ａ／Ｄ）変換器又は送信元の情報処理機器によりディジタル信号へ変換されたものが送受信された。
上記のカード型入出力装置１００の例では、カード型入出力装置１００からホストＨへアナログデータを送信するとき、機能部１０２又はそれに接続された外部の情報処理機器により、送信データが予めディジタル化された。すなわち、機能部１０２がＡ／Ｄ変換機能を含み、又は、外部の情報処理機器がディジタル信号を出力可能であった。
【００１０】
機能部１０２にＡ／Ｄ変換機能を持たせることは、カード型入出力装置１００の小型化を阻んだ。更に、機能部１０２へ接続可能な外部の情報処理機器をディジタル信号の出力可能なものに限ることは、ネットワークの拡張性を狭めた。
入出力装置がディジタルデータ通信部とアナログデータ通信部とをそれぞれ独立な構成として含むとき、その入出力装置について小型化が容易ではなかった。更に、ディジタルデータ通信とアナログデータ通信とを並行させるとき、入出力装置が小型であるほど、ディジタル信号によるアナログ信号への干渉が大きかった。その結果、アナログ信号のＳ／Ｎが減少した。
【００１１】
本発明は、ディジタルデータ通信と並行しアナログデータを送受信でき、それに加え、それぞれのデータ通信に対し高い信頼性を持ち、かつ小型軽量化の容易な入出力装置、の提供を目的とする。
【００１２】
【課題を解決するための手段】
本発明による入出力装置は、
（Ａ）　ｎ本のデータ線（整数ｎは２以上である）を含み、外部情報処理装置と接続するバス；
（Ｂ）　ｍ本のデータ線（整数ｍは１以上ｎ未満である。以下、ｍ本のディジタルデータ線という）を通しディジタルデータをｍビットずつ交換する第一のディジタルデータ通信モードと、データ線の全てを通しディジタルデータをｎビットずつ交換する第二のディジタルデータ通信モードと、のそれぞれで外部情報処理装置とディジタルデータ通信を行うためのディジタルデータ通信部；及び、
（Ｃ）　第一のディジタルデータ通信モードでのディジタルデータ通信と実質上並行し、ｍ本のディジタルデータ線とは別のデータ線の少なくとも一本（以下、アナログデータ線という）を通しアナログデータを交換するためのアナログデータ通信部；
を有する。
【００１３】
上記の入出力装置はディジタルデータ通信時、通信相手の外部情報処理装置に従い、上記二つのモードを切り換える。それにより、その外部情報処理装置に適した転送速度でディジタルデータが交換される。
第一のディジタルデータ通信モードでは、ｍ本のディジタルデータ線以外のデータ線が（ディジタルデータ通信については）アイドル状態にある。上記の入出力装置はそのアイドル状態のデータ線の一部をアナログデータ線として利用し、ディジタルデータ通信とアナログデータ通信とを同時に実現できる。更に、データ線をディジタルデータ通信とアナログデータ通信とで共用することで、装置全体のサイズを小さく抑制できる。
【００１４】
上記の入出力装置では、アナログデータ線のすぐ隣に、ｍ本のディジタルデータ線とは別のデータ線が少なくとも一本配置され、そのデータ線の電位が実質的に一定に維持され、それによりアナログデータ線がシールドされても良い。ここで、その実質的な一定電位は例えば、ディジタルデータ通信での二値電位のいずれか一方である。その他に、その二値電位のいずれとも異なる一定電位であっても良い。更に好ましくは、ｍ本のディジタルデータ線以外のデータ線が全て、実質的な一定電位に維持される。
ディジタルデータ通信とアナログデータ通信とが並行するとき、上記の定電位のデータ線によりアナログデータ線が外部、特にｍ本のディジタルデータ線からシールドされる。それにより、外部のノイズによるアナログ信号への干渉、特にディジタル信号によるアナログ信号への干渉が抑制されるので、アナログ信号のＳ／Ｎを向上できる。
【００１５】
上記の入出力装置では、アナログデータに対しパルス変調を施すためのパルス変調部をアナログデータ通信部が含んでも良い。ここで、パルス変調は、パルス振幅変調（ＰＡＭ）、パルス位置変調（ＰＰＭ）、パルス密度変調（ＰＤＭ）、又はパルス幅変調（ＰＷＭ）のいずれでも良い。パルス変調後のアナログ信号は原信号よりノイズに対し強い。上記の入出力装置は送信対象のアナログデータに対しパルス変調を施し、そのアナログ信号のＳ／Ｎを向上できる。
【００１６】
上記の入出力装置では、アナログデータが外部情報処理装置によりパルス変調を施され、アナログデータ線を通し外部情報処理装置から伝送されるとき、そのパルス変調を施されたアナログデータを復調するためのローパスフィルタをアナログデータ通信部が含んでも良い。その入出力装置は、パルス変調を施されたアナログデータを受信できる。それ故、受信対象のアナログデータについて、そのアナログ信号のＳ／Ｎを向上できる。
【００１７】
上記の入出力装置では、ディジタルデータ通信中、データ線のいずれにもディジタルデータが伝送されない期間に、アナログデータ通信部がアナログデータを交換しても良い。例えば、ディジタルデータ通信中での所定のパケット又はストリームの伝送期間の合間を縫って、アナログデータ通信部がアナログデータを送受信しても良い。その他に、例えばホストがコマンドによりディジタルデータ通信部とアナログデータ通信部とを交互に動作させ、ディジタルデータ通信部の停止期間にアナログデータが交換されるようにしても良い。
それにより、バス上には実質上常に、ディジタル信号とアナログ信号とのいずれかだけしか存在しない。従って、ディジタル信号によるアナログ信号への干渉が低減するので、アナログ信号のＳ／Ｎを向上できる。
【００１８】
上記の入出力装置では、ディジタルデータ通信での通信クロックを伝送するための通信クロック線をバスが含み、かつ、その通信クロックと同程度の周波数を持つクロックデータがアナログデータに含まれるとき、クロックデータを分周するための分周器をアナログデータ通信部が含み、その分周器の分周比を示すデータをディジタルデータ通信部が伝送しても良い。分周器はクロックデータの周波数を通信クロックの周波数から大きく低減させ、互いの周波数差を増大させる。それにより、クロックデータと通信クロックとの間でうなりが低減するので、クロックデータの歪みを抑制できる。一方、分周比はディジタルデータとしてクロックデータとは別に伝送される。受信側の情報処理装置は、伝送されたクロックデータと分周比とから原クロックデータを高精度で復元できる。こうして、クロックデータが高精度で送信される。ここで、上記のクロックデータを含むアナログデータには、例えば、垂直同期信号と水平同期信号とを含むＴＶ信号がある。
【００１９】
上記の入出力装置では、ディジタルデータ通信での通信クロックを伝送するための通信クロック線をバスが含み、通信クロックとは別のクロックデータがアナログデータとして、かつ、クロックデータに対する分周比を示すデータがディジタルデータとして、それぞれ外部情報処理装置から入力されるとき、クロックデータの周波数を分周比の逆数だけ増大するための逓倍器をアナログデータ通信部が含んでも良い。送信対象のクロックデータが通信クロックと同程度の周波数を持つとき、外部情報処理装置はそのクロックデータを分周し、その周波数を通信クロックの周波数から大きく低減させ、互いの周波数差を増大させる。それにより、クロックデータと通信クロックとの間でうなりが低減するので、クロックデータの歪みを抑制できる。一方、分周比はディジタルデータとしてクロックデータとは別に伝送される。上記の入出力装置は逓倍器により、伝送されたクロックデータと分周比とを乗算し、原クロックデータを高精度で復元する。こうして、クロックデータが高精度で受信される。
【００２０】
【発明の実施の形態】
以下、本発明の最適な実施の形態について、その好ましい実施例を挙げて、図面を参照しつつ説明する。
【００２１】
《実施例１》
図１は、本発明の実施例１によるＩ／Ｏカード１１について、ホストＨとの間でのデータ交換を示すブロック図である。
Ｉ／Ｏカード１１は、ホストインタフェース１、並びに、機能部として、撮像部４Ａ、メモリ部４Ｂ、及び無線通信部４Ｃを含む。
撮像部４ＡはＣＣＤを含み、撮像された画像データをアナログデータＡとして出力する。
メモリ部４Ｂはフラッシュメモリを含み、ディジタルデータＤを記憶する。
無線通信部４Ｃは例えば外部の無線ＬＡＮと接続され、ディジタルデータＤを交換する。
【００２２】
ホストインタフェース１は、四本のデータ線ＤＡＴ０〜３、クロック線ＣＬＫ、電源線ＶＤＤ、グラウンド線ＶＳＳ、及びコマンド線ＣＭＤの五種類の線を含むバスで、ホストＨと接続される。
四本のデータ線ＤＡＴ０〜３は伝送対象データを実際に伝送するための線であり、第一のデータ線ＤＡＴ０から第四のデータ線ＤＡＴ３までの順に並列に配置される。
クロック線ＣＬＫは、ホストＨからホストインタフェース１へ通信クロックを伝送するための線である。データ線での通信はその通信クロックに従い、同期通信で行われる。ここで、通信クロックはホストＨにより、例えば０〜約２５ＭＨｚの範囲内に設定される。
電源線ＶＤＤとグラウンド線ＶＳＳとは、ホストＨからＩ／Ｏカード１１へ電力を供給するための線である。すなわち、電源線ＶＤＤとグラウンド線ＶＳＳとは、ホストＨ内で一定の高電位と一定の接地電位とに、それぞれ保たれる。
コマンド線ＣＭＤは、データ通信時に交換されるコマンドと、Ｉ／Ｏカード１１の各機能部に対しホストＨにより発行される制御コマンドとを伝送するための線である。その制御コマンドにより、ホストＨはＩ／Ｏカード１１内の撮像部４Ａ、メモリ部４Ｂ、及び無線通信部４Ｃを制御する。
【００２３】
ホストインタフェース１はディジタルデータ通信部２とアナログデータ通信部３Ａとを含む。
ディジタルデータ通信部２はホストＨと四本のデータ線ＤＡＴ０〜３で接続され、ディジタルデータＤを交換する。ディジタルデータ通信部２によるディジタルデータ通信には次の二つのモードがある：
第一のモードでは、第一のデータ線ＤＡＴ０だけを通し、ディジタルデータＤを１ｂｉｔずつシリアルに伝送する。そのとき、残り三本のデータ線ＤＡＴ１〜３は、ディジタルデータ通信についてはアイドル状態である。
第二のモードでは、四本データ線ＤＡＴ０〜３の全てを通し、ディジタルデータＤを４ｂｉｔずつパラレルに伝送する。第二のモードでのディジタルデータ通信により、高速なデータ通信が実現される。
二つのモードのいずれでも、ディジタルデータ通信はホストＨからの通信クロックに従い、同期通信で行われる。
更に、二つのモードはホストＨからのコマンドに従い、選択される。
【００２４】
アナログデータ通信部３Ａは、ホストＨとディジタルデータ通信部２とのそれぞれと、第一のデータ線ＤＡＴ０を除く三本のデータ線ＤＡＴ１〜３で接続される。
ディジタルデータ通信部２が第二のモードでディジタルデータ通信を行う時、アナログデータ通信部３Ａは上記三本のデータ線ＤＡＴ１〜３を通し伝送されるデータをそのまま中継する。図１では、そのとき選択される伝送路が破線で模式的に示される。
ディジタルデータ通信部２が第一のモードでディジタルデータ通信を行う時、アナログデータ通信部３ＡはホストＨとの間で、第三のデータ線ＤＡＴ２を通しアナログデータＡを伝送する。そのとき、例えば図１に模式的に示される通り、第二のデータ線ＤＡＴ１と第四のデータ線ＤＡＴ３とはグラウンド線ＶＳＳへ接続され、一定の接地電位に保たれる。ここで、第二のデータ線ＤＡＴ１と第四のデータ線ＤＡＴ３との接続先は、グラウンド線ＶＳＳの他に、電源線ＶＤＤでもその他の定電位源であっても良い。更にその他に、ディジタルデータ通信部２が第二のデータ線ＤＡＴ１と第四のデータ線ＤＡＴ３とへ、それぞれを一定電位に維持するような直流信号を出力し続けても良い。それにより、第三のデータ線ＤＡＴ２は第二のデータ線ＤＡＴ１と第四のデータ線ＤＡＴ３とでシールドされる。その結果、第三のデータ線ＤＡＴ２を通るアナログ信号が外部からのノイズ、特に第一のデータ線ＤＡＴ０を通るディジタル信号からのノイズにより歪まない。
【００２５】
以下、ホストＨとＩ／Ｏカード１１との間でのデータ通信について、特にＩ／Ｏカード１１からホストＨへのデータ伝送を具体的に説明する。ホストＨからＩ／Ｏカード１１へのデータ伝送についても同様である。
ホストインタフェース１は、コマンド線ＣＭＤを通しホストＨからコマンドを受信し、解読する。
そのコマンドがメモリ部４Ｂ又は無線通信部４Ｃに対するデータ読み出し命令であるとき、ホストインタフェース１はメモリ部４Ｂ又は無線通信部４ＣからディジタルデータＤを読み出し、ディジタルデータ通信部２へ転送する。
ディジタルデータ通信部２は、ホストＨからのコマンド、例えばデータ読み出し命令により指示されたモードで、ディジタルデータＤをホストＨへ伝送する。特に第二のモードが選択されるとき、アナログデータ通信部３Ａは、三本のデータ線ＤＡＴ１〜３を通るディジタル信号をそのまま中継する。
【００２６】
ホストＨからのコマンドが撮像部４Ａに対するデータ読み出し命令であるとき、ホストインタフェース１は撮像部４ＡからアナログデータＡを読み出し、アナログデータ通信部３Ａへ転送する。更に、ディジタルデータ通信部２のモードをチェックし、そのモードが第二のモードであるとき、第一のモードへ切り換える。
アナログデータ通信部３Ａはまず、三本のデータ線ＤＡＴ１〜３の状態をチェックする。三本のデータ線ＤＡＴ１〜３がディジタルデータ通信についてアイドル状態であるとき、アナログデータ通信部３Ａは、第二のデータ線ＤＡＴ１と第四のデータ線ＤＡＴ３とをグラウンド線ＶＳＳへ接続した後、第三のデータ線ＤＡＴ２を通しアナログデータＡをホストＨへ伝送する。
ディジタルデータ通信部２は、ホストＨからのコマンド、例えばデータ読み出し命令により指示されたモードで、ディジタルデータＤをホストＨへ伝送する。
【００２７】
こうして、実施例１によるＩ／Ｏカード１１は、第一のモードでのディジタルデータ通信時、アイドル状態の第三のデータ線ＤＡＴ２を通しアナログデータ通信を行う。それにより、コンパクトな構成を維持したまま、ディジタルデータ通信とアナログデータ通信とを並行できる。
Ｉ／Ｏカード１１は更に、第一のモードでのディジタルデータ通信時、アイドル状態にある第二のデータ線ＤＡＴ１と第四のデータ線ＤＡＴ３との電位を固定する。それにより、アナログデータ通信時、第二のデータ線ＤＡＴ２がシールドされる。その結果、特にディジタルデータ通信とアナログデータ通信とが並行するとき、ディジタル信号によるアナログ信号への干渉が抑制されるので、アナログ信号のＳ／Ｎを向上できる。
【００２８】
実施例１によるＩ／Ｏカード１１は、４本のデータ線ＤＡＴの内、１本ずつをディジタルデータ線ＤＡＴ０とアナログデータ線ＤＡＴ２とする。更に、残り２本のデータ線（ＤＡＴ１とＤＡＴ３）をアナログデータ線ＤＡＴ２を挟むように配置し、それぞれ一定電位に維持する。それにより、アナログデータ線ＤＡＴ２が、特にディジタルデータ線ＤＡＴ０から効果的にシールドされる。
一般に、Ｉ／Ｏカードがデータ線をｎ本（整数ｎは１以上である）有し、その内のｍ本（整数ｍは１以上ｎ未満である）をディジタルデータ線とし、かつ別のｋ本（整数ｋは１以上（ｎ−ｍ）以下である）をアナログデータ線とするとき、残りの（ｎ−ｍ−ｋ）本のデータ線を、ディジタルデータ線とアナログデータ線との間に少なくとも１本配置する。更に、それらの（ｎ−ｍ−ｋ）本のデータ線の内、ｋ本のアナログデータ線と隣接するものを一定電位に維持する。特に好ましくは、残りの（ｎ−ｍ−ｋ）本のデータ線を全て一定電位に維持する。それにより、アナログデータ線が、特にディジタルデータ線から効果的にシールドされる。
【００２９】
《実施例２》
図２は、本発明の実施例２によるＩ／Ｏカード１２について、ホストＨとの間でのデータ交換を示すブロック図である。図２では、図１に示される実施例１と同様な構成要素に対し、図１と同じ符号を付す。更に、それらの同様な構成要素については、実施例１での説明を援用する。
【００３０】
アナログデータ通信部３Ｂは、ホストＨとディジタルデータ通信部２とのそれぞれと、第三のデータ線ＤＡＴ２で接続される。
アナログデータ通信部３Ｂは更にＰＷＭ部３１を含み、撮像部４Ａから入力されるアナログデータＡをＰＷＭで変調する。ここで、アナログデータ通信部３ＢはアナログデータＡに対し、ＰＷＭ以外のパルス変調、例えばＰＡＭ、ＰＰＭ、又はＰＤＭを施しても良い。
ＰＷＭ部３１はＰＷＭを、例えばホストからクロック線ＣＬＫを通し伝送された通信クロックに従い実行する。その他に、Ｉ／Ｏカード１２内部の制御クロックに従いＰＷＭを実行しても良い。
【００３１】
ディジタルデータ通信部２が第二のモードでディジタルデータ通信を行う時、アナログデータ通信部３Ｂは第三のデータ線ＤＡＴ２を通し伝送されるデータをそのまま中継する。図２では、そのとき選択される伝送路が破線で模式的に示される。
ディジタルデータ通信部２が第一のモードでディジタルデータ通信を行う時、アナログデータ通信部３ＢはホストＨに対し、第三のデータ線ＤＡＴ２を通し、ＰＷＭを施されたアナログデータＡを伝送する。
【００３２】
アナログデータ通信時、ホストＨでは第三のデータ線ＤＡＴ２がローパスフィルタ（ＬＰＦ）３２へ接続される。それにより、ＰＷＭを施されたアナログデータＡがＩ／Ｏカード１１から伝送されるとき、そのアナログデータＡが復調される。
同様に、上記のＰＷＭ３１をホストＨが含み、上記のＬＰＦ３２をアナログデータ通信部３Ｂが含むとき、ホストＨがアナログデータをＰＷＭ後にＩ／Ｏカード１２へ伝送し、アナログデータ通信部３Ｂがそのアナログデータを復調できる。
【００３３】
こうして、実施例２によるＩ／Ｏカード１２は、第一のモードでのディジタルデータ通信時、アイドル状態の第三のデータ線ＤＡＴ２を通しアナログデータ通信を行う。それにより、コンパクトな構成を維持したまま、ディジタルデータ通信とアナログデータ通信とを並行できる。
Ｉ／Ｏカード１２は更に、アナログデータ通信時、伝送対象のアナログデータＡに対しＰＷＭを施す。ＰＷＭを施されたアナログ信号は原信号より外部からのノイズに対し強い。その結果、特にディジタルデータ通信とアナログデータ通信とが並行するとき、ディジタル信号によるアナログ信号への干渉が抑制される。こうして、アナログ信号のＳ／Ｎを向上できる。
【００３４】
実施例２によるＩ／Ｏカード１２では、実施例１と同様に、第二のデータ線ＤＡＴ１と第四のデータ線ＤＡＴ３とをグラウンド線ＶＳＳへ接続し、一定の電位に保っても良い。第二のデータ線ＤＡＴ１と第四のデータ線ＤＡＴ３との接続先はグラウンド線ＶＳＳの他に、電源線ＶＤＤでもその他の定電位源であっても良い。その他に、ディジタルデータ通信部２が第二のデータ線ＤＡＴ１と第四のデータ線ＤＡＴ３とへ、それぞれを一定電位に維持するような直流信号を出力し続けても良い。それにより、第三のデータ線ＤＡＴ２は第二のデータ線ＤＡＴ１と第四のデータ線ＤＡＴ３とでシールドされる。その結果、第三のデータ線ＤＡＴ２を通るアナログ信号が、外部からのノイズ、特に第一のデータ線ＤＡＴ０を通るディジタル信号からのノイズにより歪まない。
【００３５】
《実施例３》
図３は、本発明の実施例３によるＩ／Ｏカード１３について、ホストＨとの間でのデータ交換を示すブロック図である。図３では、図１に示される実施例１と同様な構成要素に対し、図１と同じ符号を付す。更に、それらの同様な構成要素については、実施例１での説明を援用する。
【００３６】
アナログデータ通信部３Ｃは、ホストＨとディジタルデータ通信部２とのそれぞれと、四本のデータ線ＤＡＴ０〜３で接続される。
ディジタルデータ通信部２がディジタルデータ通信を行う時、アナログデータ通信部３Ｃは上記四本のデータ線ＤＡＴ０〜３を通し伝送されるデータをそのまま中継する。図３では、そのとき選択される伝送路が、破線で模式的に示される。ここで、ディジタルデータ通信部２によるデータ通信のモードは、第一のモード又は第二のモードのいずれでも良い。
【００３７】
ディジタルデータ通信部２は一般に、ディジタルデータを所定のパケット又はストリームごとに送受信する。従って、ディジタルデータ通信中、それぞれのパケット又はストリームの伝送期間の間では、四本のデータ線ＤＡＴ０〜３のいずれを通してもディジタルデータが伝送されない。実施例３では、そのディジタルデータが伝送されない期間に、アナログデータ通信部３ＣがホストＨとの間で、第三のデータ線ＤＡＴ２を通し、アナログデータＡを伝送する。
【００３８】
図４は、第一のモードでのディジタルデータ通信とアナログデータ通信との並行時、第一のデータ線ＤＡＴ０と第三のデータ線ＤＡＴ２とのそれぞれを通る伝送データについてのタイミング図である。図４に示されるように、第一のデータ線ＤＡＴ０がアイドル状態であるときだけ、第三のデータ線ＤＡＴ２がアクティブ状態である。それにより、第一のデータ線ＤＡＴ０を通るディジタル信号Ｄによるノイズが、第三のデータ線ＤＡＴ２を通るアナログ信号Ａを歪ませない。従って、アナログ信号のＳ／Ｎを向上できる。
【００３９】
但し、ディジタルデータ通信中、データ線ＤＡＴ０〜３のいずれを通してもディジタルデータが伝送されない期間は、一般に不定である。従って、上記のアナログデータ通信で伝送可能なアナログデータは、割込信号等データ量の小さいもの、又は任意の長さに分割可能なものでなければならない。そのようなアナログデータは好ましくは、ＣＣＤ等による静止画像信号、及び録音済の音声信号である。
【００４０】
こうして、実施例３によるＩ／Ｏカード１３は、ディジタルデータ通信中、データ線ＤＡＴ０〜３のいずれを通してもディジタルデータが伝送されない期間に、アナログデータ通信を行う。それにより、コンパクトな構成を維持したまま、ディジタルデータ通信とアナログデータ通信とを並行できる。
そのとき、ディジタル信号とアナログ信号とは交互にデータ線を通り、両信号が同時にデータ線上にはない。それ故、ディジタル信号によるアナログ信号への干渉が抑制されるので、アナログ信号のＳ／Ｎを向上できる。
【００４１】
実施例３によるＩ／Ｏカード１３は、ディジタルデータ通信でのパケット又はストリームの伝送期間の合間を縫って、アナログデータを伝送する。その他に、ホストＨがコマンドにより、ディジタルデータ通信部２とアナログデータ通信部３Ｃとを所定の制御シーケンスに従い交互に動作させ、それにより、ディジタルデータ通信部２の停止期間にアナログデータを伝送させても良い。
【００４２】
《実施例４》
図５は、本発明の実施例４によるＩ／Ｏカード１４について、ホストＨとの間でのデータ交換を示すブロック図である。図４では、図１に示される実施例１と同様な構成要素に対し、図１と同じ符号を付す。更に、それらの同様な構成要素については、実施例１での説明を援用する。
【００４３】
Ｉ／Ｏカード１４は実施例１での撮像部４Ａとは別の機能部として、ＴＶチューナ４Ｄを含む。
ＴＶチューナ４Ｄは外部のアンテナＡＴにより受信されたＴＶ信号をアナログデータとして出力する。ＴＶ信号は垂直同期信号と水平同期信号とを含む。ＴＶチューナ４Ｄはそれらの同期信号をクロックデータＣとして出力する。そのとき、特に水平同期信号に相当するクロックデータでは周波数が数ＭＨｚ〜数十ＭＨｚであり、通信クロックの周波数と同程度である。
【００４４】
アナログデータ通信部３Ｄは、ホストＨとディジタルデータ通信部２とのそれぞれと、第三のデータ線ＤＡＴ２で接続される。
アナログデータ通信部３Ｄは分周器３３を含み、ＴＶチューナ４Ｄから入力されるクロックデータＣを所定の分周比ｒで分周する。ここで、分周比ｒは好ましくは整数である。それにより、実際に伝送されるクロックデータＣの周波数は１／ｒだけ小さいので、通信クロックの周波数とは大きく異なる。分周比ｒを示すデータはディジタルデータ通信部２へ出力され、ディジタルデータとしてホストＨへ伝送される。
【００４５】
ディジタルデータ通信部２が第二のモードでディジタルデータ通信を行う時、アナログデータ通信部３Ｄは第三のデータ線ＤＡＴ２を通し伝送されるデータをそのまま中継する。図５では、そのとき選択される伝送路が破線で模式的に示される。
ディジタルデータ通信部２が第一のモードでディジタルデータ通信を行う時、アナログデータ通信部３ＤはホストＨに対し、第三のデータ線ＤＡＴ２を通し、分周されたクロックデータＣを伝送する。そのとき、クロックデータＣの周波数は通信クロックの周波数とは大きく異なるので、そのクロックデータＣと通信クロックとの間の干渉は抑制される。従って、クロックデータＣの歪みが低減する。
【００４６】
アナログデータ通信時、ホストＨでは第三のデータ線ＤＡＴ２が逓倍器３４へ接続される。それにより、分周されたクロックデータＣと、その分周比ｒを示すデータとがＩ／Ｏカード１１から伝送されるとき、そのクロックデータＣの周波数が分周比ｒ倍だけ増大され、原クロックデータが復元される。
同様に、上記の分周器３３をホストＨが含み、上記の逓倍器３４をアナログデータ通信部３Ｄが含むとき、ホストＨがクロックデータを分周した後にＩ／Ｏカード１２へ伝送し、アナログデータ通信部３Ｄがそのクロックデータを復元できる。
【００４７】
こうして、実施例４によるＩ／Ｏカード１４は、第一のモードでのディジタルデータ通信時、アイドル状態の第三のデータ線ＤＡＴ２を通しアナログデータ通信を行う。それにより、コンパクトな構成を維持したまま、ディジタルデータ通信とアナログデータ通信とを並行できる。
Ｉ／Ｏカード１２は特に、通信クロックと同程度の周波数を持つクロックデータＣをアナログデータとして伝送するとき、そのクロックデータＣを分周した後に伝送する。分周されたクロックデータの周波数は通信クロックの周波数とは大きく異なるので、相互の干渉が抑制される。その結果、特にディジタルデータ通信とアナログデータ通信とが並行するとき、クロックデータを高精度で伝送できる。
【００４８】
実施例４によるＩ／Ｏカード１４では、実施例１と同様に、第二のデータ線ＤＡＴ１と第四のデータ線ＤＡＴ３とをグラウンド線ＶＳＳへ接続し、一定の電位に保っても良い。第二のデータ線ＤＡＴ１と第四のデータ線ＤＡＴ３との接続先は、グラウンド線ＶＳＳの他に、電源線ＶＤＤでもその他の定電位源であっても良い。その他に、ディジタルデータ通信部２が第二のデータ線ＤＡＴ１と第四のデータ線ＤＡＴ３とへ、それぞれを一定電位に維持するような直流信号を出力し続けても良い。それにより、第三のデータ線ＤＡＴ２は第二のデータ線ＤＡＴ１と第四のデータ線ＤＡＴ３とでシールドされる。その結果、第三のデータ線ＤＡＴ２を通るアナログ信号が、外部からのノイズ、特に第一のデータ線ＤＡＴ０を通るディジタル信号からのノイズにより歪まない。
【００４９】
【発明の効果】
上記の通り、本発明による入出力装置はディジタルデータ通信時、通信相手の外部情報処理装置に従い通信モードを切り換える。第一のディジタルデータ通信モードでは、ｍ本のディジタルデータ線以外のデータ線がディジタルデータ通信についてはアイドル状態にある。本発明による入出力装置は、そのアイドル状態のデータ線の一部をアナログデータ線として利用し、ディジタルデータ通信とアナログデータ通信とを同時に実現できる。更に、データ線をディジタルデータ通信とアナログデータ通信とで共用することで、装置全体のサイズを小さく抑制できる。
【００５０】
上記の入出力装置では、アナログデータ線のすぐ隣に、ｍ本のディジタルデータ線とは別のデータ線が少なくとも一本配置され、そのデータ線の電位が実質的に一定に維持されても良い。ディジタルデータ通信とアナログデータ通信とが並行するとき、上記の定電位のデータ線によりアナログデータ線がｍ本のディジタルデータ線からシールドされる。それにより、ディジタル信号によるアナログ信号への干渉が抑制されるので、アナログ信号のＳ／Ｎを向上できる。
【００５１】
上記の入出力装置がパルス変調部とローパスフィルタとを含み、パルス変調を施されたアナログ信号を伝送しても良い。パルス変調後のアナログ信号は原信号よりノイズに対し強いので、アナログデータ通信でのアナログ信号のＳ／Ｎを向上できる。
【００５２】
上記の入出力装置では、ディジタルデータ通信中、データ線のいずれを通してもディジタルデータが伝送されない期間にアナログデータが交換されても良い。それにより、ディジタル信号によるアナログ信号への干渉が低減するので、アナログ信号のＳ／Ｎを向上できる。
【００５３】
上記の入出力装置では、ディジタルデータ通信での通信クロックを伝送するための通信クロック線をバスが含み、かつ、その通信クロックと同程度の周波数を持つクロックデータがアナログデータに含まれるとき、そのクロックデータを分周した後伝送しても良い。そのとき、その分周比を示すデータはディジタルデータとして伝送される。
分周により、実際に伝送されるクロックデータの周波数は通信クロックの周波数から大きく低減し、互いの周波数差が増大する。それにより、クロックデータと通信クロックとの間でうなりが低減するので、クロックデータの歪みを抑制できる。
受信側の情報処理装置は、伝送されたクロックデータと分周比とから原クロックデータを高精度で復元できる。こうして、クロックデータが高精度で伝送される。
【図面の簡単な説明】
【図１】本発明の実施例１によるＩ／Ｏカード１１について、ホストＨとの間でのデータ交換を示すブロック図である。
【図２】本発明の実施例２によるＩ／Ｏカード１２について、ホストＨとの間でのデータ交換を示すブロック図である。
【図３】本発明の実施例３によるＩ／Ｏカード１３について、ホストＨとの間でのデータ交換を示すブロック図である。
【図４】本発明の実施例３によるＩ／Ｏカード１３について、第一のモードでのディジタルデータ通信とアナログデータ通信との並行時、第一のデータ線ＤＡＴ０と第三のデータ線ＤＡＴ２とのそれぞれを通る伝送データについてのタイミング図である。
【図５】本発明の実施例４によるＩ／Ｏカード１４について、ホストＨとの間でのデータ交換を示すブロック図である。
【図６】従来のカード型入出力装置１００とホストＨとの間でのデータ交換を示すブロック図である。
【符号の説明】
３Ａ　　　アナログデータ通信部
４Ａ　　　撮像部
４Ｂ　　　メモリ部
ＤＡＴ０　　第一のデータ線
ＤＡＴ１　　第二のデータ線
ＤＡＴ２　　第三のデータ線
ＤＡＴ３　　第四のデータ線
ＣＬＫ　　　クロック線
ＶＤＤ　　　電源線
ＶＳＳ　　　グラウンド線
ＣＭＤ　　　コマンド線
Ａ　　　　アナログデータ
Ｄ　　　　ディジタルデータ
【図１】
2004038377.tif 000003
【図２】
2004038377.tif 000004
【図３】
2004038377.tif 000005
【図４】
2004038377.tif 000006
【図５】
2004038377.tif 000007
【図６】
2004038377.tif 000008